(57)【要約】【課題】  本案発明は本管から複数の給水管に分岐して連結するための、通水方向に対し直角となる複数の孔であって雌螺子が施された分岐口を有する継手における分岐口から下流に位置する通水をそれぞれ個別に停止することを可能とし、それぞれの給水管に対する独立した元栓の役割を果たすことを目的とする。【解決手段】    上述の継手において、各分岐口のそれぞれに止水栓部を有し、一の止水栓棒を時計方向に回転させることにより当該継手本体の止水栓部に備えられた止水シートにケレップが密着し、該当する分岐口の下流側の給水管の通水を停止させることができる。反対に一の止水栓棒を反時計方向に回転させれば通水状態を得ることになる。【選択図】図２
2007239433.tif 000002
【特許請求の範囲】
【請求項１】
通水方向に対し直角となる複数の孔である分岐口と、それぞれの分岐口において各々に独立した元栓としての止水機能を持たせるための止水栓とを有する継手。
【請求項２】
つりコマ式の止水栓であって止水栓棒が分岐口の通水方向に対し鋭角の傾斜角度を備えた止水栓を有する請求項１記載の継手。
【発明の詳細な説明】
【技術分野】
【０００１】  本管から各水栓に分岐して給水を可能とすべく、給湯または給水のシステム配管における継手に関する。
【背景技術】
【０００２】  近年の給水または給湯においてはシステム配管を実現すべく、本旨から複数の給水管に分岐して連結するための、通水方向に対し直角となる複数の孔であって雌螺子が施された分岐口を有する継手（以下これを「ヘッダー」という。）が開発され、分岐口の雌螺子部に雄螺子のニップルを接合することにより、本管から各水栓に分岐して給水することが可能となっている。（例えば、非特許文献１参照）【０００３】  そして、末端の給水栓に異常が発生した場合の当該給水栓の取替えやその修理のために通水を停止する必要性から、通常の場合、ヘッダーの上流側や末端の給水栓の根元に止水栓を設けている。【０００４】  しかし、かかる止水機能は末端の給水栓の取替えや修理のための通水停止には有効であってもヘッダーから末端給水栓までの給水管において通水を停止したい場合にはその効果を生じ得ないことになる。【０００５】  また、本管におけるヘッダーの上流側に止水栓を設けた場合には、本管からの通水の停止を可能とし、ヘッダーを含めたヘッダーの上流側の止水栓より下流側は全て通水が停止することになる。【０００６】  このような配管においては本管からの通水を停止すると、通水を停止したい末端給水栓およびそれまでの給水管はもとより通水の停止を必要とはしない末端給水栓等も通水の停止を余儀なくされることになる。【０００７】  以上の欠点を解消するためにはヘッダーの分岐口からの下流側近傍にそれぞれの給水管の元栓として止水栓を設け、これを止水することにより本管からヘッダーまでは通水を継続させ、通水の停止を必要とする末端給水栓及びそれまでの給水パイプのみの通水の停止を可能とし、通水の停止を必要とはしない末端給水栓及びそれまでの給水管には通水状態が保たれる。【０００８】  しかしながら、ヘッダーの分岐口に取り付けられる止水栓は流水量確保のためには大型化を余儀なくされ、また、ヘッダーの分岐口に別途止水栓を設けることは螺子込み等の接合個所を増やすこととなり好ましいとはいえない。なぜなら、配管における螺子込み等による接合は、経時的に外因による振動または通水と止水の切り替えによる圧力変化等によって接合部からの漏水の可能性を完全に否定することはできないからであり、螺子込み等による接合はできるだけ少ない個所に止めるべきだからである。【０００９】
【特許文献１】なし
【非特許文献１】「エスロン  エスロペック  カタログ」、積水化学工業（ＡＭ−ＰＸ０１）
【発明の開示】
【発明が解決しようとする課題】
【０００１０】  本案発明はヘッダー工法に必要とされる継手の接合を最小限に止めた上で、ヘッダーから下流に位置する通水をそれぞれ個別に停止することを可能とするそれぞれの給水管に対する独立した元栓の役割を果たすことを目的とする。【００１１】  また、ヘッダー下流の各給水状態について、開閉のための止水栓棒が通水と停止を外観から確認することができる構造を有することによって、本案発明におけるヘッダーのみを目視することにより、通水システムの個々の通水状態を確認することを可能ならしめるものである。【００１２】  更に、別の止水栓をヘッダーの分岐口の下流側に設置する等といった装置の大型化の回避を目的とするものである。これは、通常ヘッダー工法において、ヘッダーの分岐口の下流側の給水管は建物の壁や床に平行して這わせた状態で装着されるものであることから、ヘッダー工法自体が省スペース化の実現を意味するものであり、平面である壁や床から突出することは美観上からも避けたいものだからである。【００１３】  本案発明のヘッダーはそのそれぞれの分岐口に独立して止水機能を有するものであるが、止水栓棒の軸方向をヘッダー下流側の給水管の軸方向と同一とすると、ヘッダーの下流側給水管が建物の壁や床と平面的に装着されていることから、壁や床が邪魔になり止水栓棒の開閉操作が困難となる。【００１４】  他方、止水栓棒の軸方向をヘッダー下流側の給水管の軸方向に対し直角となるように位置する場合は止水栓棒の開閉操作は容易に行なうことができたとしても、壁や床に対して直角に突出することになる。これはヘッダー工法の省スペース化や美観面からも避ける必要がある。【００１５】  加えて、ヘッダー内部に各給水管への独立した通水及び止水を実現する機能を持たせた上で、一の給水管への止水によって他の給水管の通水量に影響を及ぼさず、一定の通水量が確保されていなければならない。すなわち、ヘッダーの長手方向の通水ハウジング内に止水栓棒等が位置すれば流水摩擦を引き起こし、流水の圧力損失につながり末端給水栓の水量や水圧の確保が図れないことになるという弊害を生じることになる。
【課題を解決するための手段】
【００１６】  本案発明にかかるヘッダーは、ヘッダーの各分岐口のそれぞれの流水方向に対し所定の角度の傾きを軸方向とする止水を機能ならしめる止水栓部と止水栓棒を有し、止水栓棒には上部にはマイナスドライバー等で回転トルクを伝えるためのすり割部と下部には止水のためのケレップとを有し、一の止水栓棒を時計方向に回転させることによりヘッダー本体の止水栓部に備えられた止水シートにケレップが密着することによって、該当するヘッダーの下流側の給水管の通水を停止させることができる。反対に一の止水栓棒を反時計方向に回転させれば通水状態を得ることになる。【００１７】  かかる、止水栓棒は、通水の場合は止水栓上部から突出した状態となり、通水停止の場合は止水栓上部と平らな状態となる。【００１８】  また、止水栓棒はヘッダーの長手方向に対し直角に、すなわち通水を遮るように位置するが、止水栓部の軸方向を給水管の流水方向に対し所定の角度の傾きを有するため止水栓棒はヘッダーの長手方向の通水管から外れたところに位置し、通水に対する圧力損失の原因となる流水摩擦を最小限に止めておくことができるので通水及び止水のいずれの状態においても止水栓棒は通水の流水摩擦の発生を回避することになるのである。
【発明の効果】
【００１９】  給水または給湯のシステム配管を実現するヘッダー工法においてそれぞれの給水管への独立した元栓としての役割を果たすものであり、通水及び止水の切り替え作業の簡便性及び省スペース化を達成するものである。【００２０】  通水のときは止水栓棒が止水栓上部から突出した状態であり、止水のときは止水栓棒が止水栓上部と平らな状態をなるため、ヘッダーの下流側の給水管が通水状態なのか或いは止水状態なのかが一目で確認することができるのである。【００２１】  ヘッダー内部に止水機能を持たせているため、従来のヘッダーの下流側に別の止水栓を取り付けるという無用な接合を回避することができる。【００２２】  ヘッダーに施された分岐口は将来の給水栓の増設を考慮して現状の必要個数を上回る個数とされる場合が多く、使用しない分岐口は専用のプラグ継手を装着してこの分岐口からの流水を防止している。新規に給水栓を増設しようとする場合、かかるプラグ継手を取り外してから給水管を取り付けるニップル継手を装着することになる。プラグ継手をはずすと流水が起こることとなるが、これを回避するためヘッダー上流側の止水栓を閉止すると、給水または給湯システム全体の通水が停止することになる。これに対し、本案発明に係る止水機能つきヘッダーはかかるプラグ継手を要することなく流水が停止しており、新規の増設に対しては給水管を取り付けるニップル継手を装着後に止水栓棒を開くだけで通水を開始することができ、設置操作が完了する。
【発明を実施するための最良の形態】
【００２３】  以下、本案発明の実施の態様を図１乃至図３に基づいて説明する。【００２４】  図１において、【００２５】  図２及び図３において、１は通水ハウジング２と止水シート３と雌螺子部４と分岐口５を有するバルブ付ヘッダー本体であり、６はその雌螺子４に対応する雄螺子７と雌螺子８を有する止水栓上部であり、９はすり割部１０と雄螺子１１とシートケレップ１２を有する止水栓棒である。雌螺子８と雄螺子１１は嵌合しており、すり割部１０をマイナスドライバー等で時計回りに回すと止水栓棒９は時計方向に回転し、それら嵌合螺子の働きにより止水シート３にシートケレップ１２が密着して通水ハウジング２と分岐口５とが絶縁され通水の停止がなされることになる。反対に反時計回りに回すことによって通水可能な状態となる。【００２６】  図２及び図３において止水栓ハウジング１と止水栓棒９との螺子の軸線は分岐口５の通水軸に対して所定の角度（例えば３０度）の傾きを持たせてある。これによって給水管が壁や床に這わせるように配管され、ヘッダーが固定された状態での止水栓棒９のすり割部１０へのマイナストライバー等での作業に対して壁や床からのスペースを確保するものである。またこの所定の角度を備えることによって止水栓棒９はヘッダーの長手方向の通水ハウジング２に位置することを避けることができ通水に対する圧力損失の原因となる流水摩擦を最小限に止めておくことができるのである。【００２７】  図２においては−の止水栓部を開放状態として給水管への通水がなされている場合の断面図を表したものであり、止水栓棒は止水栓上部から突出しており、通水状態を示すこととなる。【００２８】  図３においては一の止水栓部が閉止状態として給水管への通水が停止されている場合の断面図を表したものであり、止水栓棒は止水栓上部と平らな状態となり、通水の停止の状態を示しているのである。【００２９】  図２乃至図３は止水機能の一例として、つりコマ式による止水機能を示したものであるが、かかる止水機能を現在公知の玉型弁や仕切り弁等に置換転用しても同様の機能及び作用を果たすことは言うまでもない。【００３０】  また、ヘッダーに有する分岐口の数量は２個口のものと３個口のものがあれば、それらのヘッダーの組合せて連結することにより、全ての必要な分岐口の数量を確保することが可能となる。
【図面の簡単な説明】
【００３１】
【図１】  バルブ付ヘッダーの正面図
【図２】  バルブ付ヘッダーの通水時におけるＡ−Ａ’側断面図
【図３】  バルブ付ヘッダーの止水時におけるＡ−Ａ’側断面図
【図４】  バルブ付ヘッダーの側面図
【図５】  バルブ付ヘッダーのＢ−Ｂ’側断面図
【符号の説明】
【００３２】  １    バルブ付ヘッダー本体
２    通水ハウジング
３    止水シート
５    分岐口
９    止水栓棒
１０    すり割部
１２    シートケレップ
【図１】
2007239433.tif 000003
【図２】
2007239433.tif 000004
【図３】
2007239433.tif 000005
【図４】
2007239433.tif 000006
【図５】
2007239433.tif 000007